(57)【要約】 【課題】実際の印刷画像に対する色再現性の高いプレビュー画像を実現可能なデータを提供する。【解決手段】情報処理装置１２は、取得部３０Ｂと、記憶制御部３０Ｃと、を備える。取得部３０Ｂは、基準プロファイルを画像形成装置から取得する。基準プロファイルは、第１変換テーブルを含む。第１変換テーブルは、画像形成装置で印刷する印刷画像の色空間および印刷色域をデバイス非依存の共通色空間の該印刷色域に変換した、該共通色空間の該印刷色域と、原稿データの色空間の色域と、の対応関係を示す。記憶制御部３０Ｃは、基準プロファイルを、記憶部３４に記憶する。【選択図】図５
2016152603.tif 000002
【特許請求の範囲】
【請求項１】
画像形成装置で印刷する印刷画像の色空間および印刷色域をデバイス非依存の共通色空間の該印刷色域に変換した、該共通色空間の該印刷色域と、原稿データの色空間の色域と、の対応関係を示す第１変換テーブルを含む、基準プロファイルを、前記画像形成装置から取得する取得部と、
前記基準プロファイルを、記憶部に記憶する記憶制御部と、
を備えた情報処理装置。
【請求項２】
前記基準プロファイルは、
前記原稿データの色空間と前記共通色空間との対応関係を示す第２変換テーブルを含む入力プロファイルの第２識別情報と、該基準プロファイルの取得元の前記画像形成装置で印刷する記録媒体の媒体種により定まる印刷画像の色空間と前記共通色空間との対応関係を示す第３変換テーブルを含む出力プロファイルの第３識別情報と、該画像形成装置の第４識別情報と、前記原稿データの色域を前記印刷色域に変換するときに用いた色空間変換方法の第５識別情報と、前記媒体種を示す媒体種情報と、を含む第１情報を更に含む、
請求項１に記載の情報処理装置。
【請求項３】
前記記憶制御部は、前記基準プロファイルと、前記第１情報と、を対応づけた管理情報を前記記憶部に記憶する、請求項２に記載の情報処理装置。
【請求項４】
前記管理情報を更新する更新部を更に備え、
前記取得部は、
ネットワークを介して接続された前記画像形成装置から、最新の前記基準プロファイルを取得し、
前記更新部は、取得した最新の前記基準プロファイルと、該基準プロファイルに含まれる前記第１情報と、を対応づけて前記管理情報に登録することによって、前記管理情報を更新する、
請求項３に記載の情報処理装置。
【請求項５】
画像形成装置と、前記画像形成装置にネットワークを介して接続された情報処理装置と、含む情報処理システムであって、
前記画像形成装置は、
画像形成装置で印刷する印刷画像の色空間および印刷色域をデバイス非依存の共通色空間の該印刷色域に変換した、該共通色空間の該印刷色域と、原稿データの色空間の色域と、の対応関係を示す第１変換テーブルを含む、基準プロファイルを生成する生成部と、
前記基準プロファイルを前記情報処理装置へ送信する送信部と、
を備え、
前記情報処理装置は、
前記基準プロファイルを前記画像形成装置から取得する取得部と、
前記基準プロファイルを、記憶部に記憶する記憶制御部と、
を備える、
情報処理システム。
【請求項６】
画像形成装置で印刷する印刷画像の色空間および印刷色域をデバイス非依存の共通色空間の該印刷色域に変換した、該共通色空間の該印刷色域と、原稿データの色空間の色域と、の対応関係を示す第１変換テーブルを含む、基準プロファイルを、前記画像形成装置から取得するステップと、
前記基準プロファイルを、記憶部に記憶するステップと、
を含む情報処理方法。
【請求項７】
画像形成装置で印刷する印刷画像の色空間および印刷色域をデバイス非依存の共通色空間の該印刷色域に変換した、該共通色空間の該印刷色域と、原稿データの色空間の色域と、の対応関係を示す第１変換テーブルを含む、基準プロファイルを、前記画像形成装置から取得するステップと、
前記基準プロファイルを、記憶部に記憶するステップと、
をコンピュータに実行させる情報処理プログラム。
【発明の詳細な説明】
【技術分野】
【０００１】
本発明は、情報処理装置、情報処理システム、情報処理方法、および情報処理プログラムに関する。
【背景技術】
【０００２】
特定のデバイスに依存する色空間（例えばＲＧＢやＣＭＹＫ）と、デバイス非依存の共通色空間（例えばＣＩＥＬＡＢ）との対応関係を記述したプロファイル（例えばＩＣＣプロファイル）を用い、該共通色空間を介して、複数の装置間での色合わせを行うカラーマネジメント技術が知られている。例えば、画像形成装置で画像を印刷するときには、入力プロファイルを用いて原稿データの色空間を共通色空間に変換した後に、出力プロファイルを用いて画像形成装置の特有の色空間に変換する。そして、該変換した原稿データを、画像形成装置で再現可能な印刷色域に制限した後に、画像印刷を行う。
【０００３】
ここで、印刷実行前に、画像形成装置へ印刷データを送信する情報処理装置側で、印刷画像のプレビュー表示が行われている。具体的には、原稿データに埋め込まれた入力プロファイルを用いて、原稿データを共通色空間に変換する。そして、更に、情報処理装置に設けられた表示部のディスプレイプロファイルを用いて表示部で用いる色空間に変換した原稿データの画像を、印刷結果を推定したプレビュー画像として表示していた。
【発明の概要】
【発明が解決しようとする課題】
【０００４】
しかしながら、従来では、原稿データの色域を変更せずに共通色空間に変換、または、原稿データに含まれる入力プロファイルに示される色域の共通色空間に変換していた。そして、更に、表示部で用いる色空間に変換した画像を、プレビュー画像として用いていた。このため、実際の印刷画像の色味とは異なる色味の画像が、印刷結果を推定したプレビュー画像として表示されていた。従って、従来では、実際の印刷画像に対する色再現性の高いプレビュー画像を実現可能なデータを容易に得ることは出来なかった。
【課題を解決するための手段】
【０００５】
上述した課題を解決し、目的を達成するために、本発明は、画像形成装置で印刷する印刷画像の色空間および印刷色域をデバイス非依存の共通色空間の該印刷色域に変換した、該共通色空間の該印刷色域と、原稿データの色空間の色域と、の対応関係を示す第１変換テーブルを含む、基準プロファイルを、前記画像形成装置から取得する取得部と、前記基準プロファイルを、記憶部に記憶する記憶制御部と、を備える。
【発明の効果】
【０００６】
本発明によれば、実際の印刷画像に対する色再現性の高いプレビュー画像を実現可能なデータを、提供することができる。
【図面の簡単な説明】
【０００７】
【図１】図１は、情報処理システムの模式図である。
【図２】図２は、画像形成装置の機能ブロック図である。
【図３】図３は、基準プロファイルの構成の概略図である。
【図４】図４は、第１変換テーブルの生成の説明図である。
【図５】図５は、情報処理装置の機能ブロック図である。
【図６】図６は、管理情報および履歴情報のデータ構成の一例を示す図である。
【図７】図７は、表示画面の一例の説明図である。
【図８】図８は、原稿データに施す画像処理の説明図である。
【図９】図９は、原稿データに施す画像処理の説明図である。
【図１０】図１０は、原稿データに施す画像処理の説明図である。
【図１１】図１１は、画像形成装置で実行する情報処理手順の一例を示すフローチャートである。
【図１２】図１２は、情報処理装置が実行する情報処理手順の一例を示すフローチャートである。
【図１３】図１３は、ハードウェア構成図である。
【発明を実施するための形態】
【０００８】
以下、添付図面を参照しながら、本発明に係る、情報処理装置、情報処理システム、情報処理方法、および情報処理プログラムの実施の形態を詳細に説明する。
【０００９】
図１は、情報処理システム１０の模式図である。情報処理システム１０は、情報処理装置１２と、画像形成装置１４と、を備える。情報処理装置１２および画像形成装置１４は、ネットワーク１６を介して接続されている。
【００１０】
図１に示す例では、情報処理システム１０は、１台の情報処理装置１２と、１台の画像形成装置１４と、を備えた構成を示した。しかし、情報処理システム１０は、情報処理装置１２および画像形成装置１４の少なくとも一方を、複数台備えた構成であってもよい。
【００１１】
図２は、画像形成装置１４の機能ブロック図である。画像形成装置１４は、制御部１８と、記憶部２０と、ＵＩ（ユーザ・インターフェース）部２１と、画像形成部２２と、を備える。記憶部２０、画像形成部２２、およびＵＩ部２１は、制御部１８に信号授受可能に接続されている。
【００１２】
ＵＩ部２１は、各種画像を表示すると共に、ユーザからの各種指示を受付ける。ＵＩ部２１は、例えば、タッチパネルである。なお、ＵＩ部２１は、各種画像を表示する表示部と、ユーザからの各種指示を受付ける操作部と、を別体とした構成であってもよい。
【００１３】
記憶部２０は、各種データを記憶する。記憶部２０は、例えばＨＤＤ（ハードディスクドライブ）である。
【００１４】
画像形成部２２は、制御部１８から受け付けた出力データを用いて、記録媒体に画像を印刷する公知の画像形成装置である。画像形成部２２の画像形成方式は、電子写真方式であってもよいし、インクジェット方式であってもよく、限定されない。画像形成部２２は、例えば、ＣＭＹＫの各色のトナーまたはインクを用いて、記録媒体に画像を印刷する。
【００１５】
制御部１８は、画像形成装置１４を制御する。制御部１８は、通信部１８Ａと、生成部１８Ｄと、画像処理部１８Ｅと、印刷制御部１８Ｆと、を含む。通信部１８Ａ、生成部１８Ｄ、画像処理部１８Ｅ、および印刷制御部１８Ｆの一部またはすべては、例えば、ＣＰＵなどの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００１６】
通信部１８Ａは、ネットワーク１６を介して他の機器と通信を行う。本実施の形態では、通信部１８Ａは、ネットワーク１６を介して情報処理装置１２とデータ授受を行う。通信部１８Ａは、送信部１８Ｂと、受信部１８Ｃと、を含む。送信部１８Ｂは、画像形成装置１４で生成した基準プロファイル（詳細後述）や、各種データや、各種信号などを情報処理装置１２へ送信する。受信部１８Ｃは、情報処理装置１２から印刷データなどを受信する。
【００１７】
生成部１８Ｄは、基準プロファイルを生成する。基準プロファイルは、第１変換テーブルを少なくとも含む。詳細には、基準プロファイルは、第１変換テーブルと、第１情報と、を含む。
【００１８】
図３は、基準プロファイル２４の構成の概略図である。基準プロファイル２４は、ヘッダー２４Ａと、第１情報２４Ｂと、第１変換テーブル２４Ｃと、を含む。なお、基準プロファイル２４は、更に他の情報を含んでいてもよい。
【００１９】
ヘッダー２４Ａには、基準プロファイル２４を示す各種情報が含まれる。本実施の形態では、ヘッダー２４Ａには、基準プロファイル２４を識別する第１識別情報が含まれる。第１識別情報は、例えば、基準プロファイル２４の名称などである。
【００２０】
第１変換テーブル２４Ｃは、当該画像形成装置１４で印刷する印刷画像の色空間および印刷色域をデバイス非依存の共通色空間の該印刷色域に変換した、該共通色空間の該印刷色域と、原稿データの色空間の色域と、の変換に用いる変換テーブルである。
【００２１】
生成部１８Ｄは、第１変換テーブル２４Ｃを生成し、第１変換テーブル２４Ｃを含む基準プロファイル２４を生成する。
【００２２】
図４は、第１変換テーブル２４Ｃの生成の説明図である。
【００２３】
まず、原稿データに対する変換処理の流れを説明する。例えば、図４（Ａ）に示すように、原稿データ４０Ａの色空間がＲＧＢであったとする。そして、この原稿データ４０Ａの色空間の色域（ガマット）が、色域４０Ｂに示す色域であったとする。
【００２４】
画像形成装置１４で画像を印刷するときには、このＲＧＢの色空間の原稿データ４０Ａを、原稿データ４０Ａに埋め込まれている入力プロファイルを用いて、共通色空間に変換し、原稿データ４０Ｃとする（図４（Ｂ）参照）。共通色空間の原稿データ４０Ｃの色域４０Ｂは（図４（Ｂ）参照）、原稿データ４０Ａの色域４０Ｂ（図４(Ａ)参照）と同じである。
【００２５】
入力プロファイルは、原稿データの色空間と共通色空間との対応関係を示す第２変換テーブルを含む。
【００２６】
共通色空間は、デバイス非依存の色空間であり、例えば、ＣＩＥＬＡＢなどである。本実施の形態では、図中、共通色空間のデータを、“Ｌａｂデータ”と表記している。
【００２７】
そして、共通色空間の原稿データ４０Ｃを、さらに、出力プロファイルを用いて、画像形成装置１４に依存する色空間の出力データ４０Ｄに変換する（図４（Ｃ）参照）。画像形成装置１４に依存する色空間は、例えば、ＣＭＹＫの色空間である。
【００２８】
出力プロファイルは、画像形成装置１４で印刷する印刷画像の色空間と共通色空間との対応関係を示す第３変換テーブルを含む。印刷画像に表れる色は、記録媒体の媒体種によって異なる色合いを示す。このため、画像形成装置１４では、画像形成装置１４で扱う記録媒体の種類に応じた数の、出力プロファイルを予め記憶部２０に記憶している。言い換えると、画像形成装置１４の記憶部２０は、画像形成装置１４で印刷する記録媒体の媒体種の各々に対応する出力プロファイルを予め記憶部２０に記憶している。また、第３変換テーブルは、画像形成装置１４で印刷する記録媒体の媒体種により定まるといえる。
【００２９】
また、共通色空間の原稿データ４０Ｃを画像形成装置１４に依存する色空間の出力データ４０Ｄへ変換するときの色空間変換方法（レンダリングインテント）には、４種類の方法がある。この４種類の方法は、具体的には、Ｐｅｒｃｅｐｔｕａｌ（知覚）、Ｓａｔｕｒａｔｉｏｎ（彩度）、Ｒｅｌａｔｉｖｅ  Ｃｏｌｏｒｉｍｅｔｒｉｃ（相対的な色域を維持）、Ａｂｓｏｌｕｔｅ  Ｃｏｌｏｒｉｍｅｔｒｉｃ（絶対的な色域を維持）である。
【００３０】
生成部１８Ｄは、出力プロファイルの各々に対して、４種類の色空間変換方法の各々を用いて、共通色空間の原稿データ４０Ｃを出力データ４０Ｄへ変換する（図４（Ｃ）参照）。このため、出力データ４０Ｄの色域は、印刷画像の印刷色域４０Ｅを示すものとなる。出力データ４０Ｄは、画像形成装置１４における印刷時に用いられる。
【００３１】
本実施の形態では、生成部１８Ｄは、まず、画像形成装置１４で対応可能な記録媒体の媒体種の各々に対応する出力プロファイルを作成する。すなわち、生成部１８Ｄは、画像形成装置１４で対応可能な記録媒体の媒体種の数に相当する数の、出力プロファイルを作成する。なお、記録媒体の媒体種に対応する出力プロファイルは、予め記憶部２０に記憶しておいてもよい。
【００３２】
そして、さらに、生成部１８Ｄは、作成した出力プロファイルの各々の調整を行う。具体的には、生成部１８Ｄは、作成した出力プロファイルの各々について、４種類の色空間変換方法（レンダリングインテント）を施すことで、調整を行う。このため、生成部１８Ｄは、画像形成装置１４で対応可能な記録媒体の媒体種の数の、調整後の出力プロファイルを生成する。
【００３３】
そして、生成部１８Ｄは、原稿データ４０Ａと、作成した調整後の出力プロファイルの各々と、の１対１の各組合せごとに、基準プロファイルを生成する。
【００３４】
詳細には、生成部１８Ｄは、ＲＧＢの色空間の原稿データ４０Ａを、入力プロファイルを用いて共通色空間に変換した、共通色空間の原稿データ４０Ｃ（図４（Ｂ）参照）を用いる。上述したように、共通色空間の原稿データ４０Ｃの色域４０Ｂは、原稿データ４０Ａの色域４０Ｂと同じである。そして、生成部１８Ｄは、この共通色空間の原稿データ４０Ｃを、調整後の出力プロファイルを用いて、共通色空間の原稿データ４０Ｃを出力データ４０Ｄへ変換する（図４（Ｃ）参照）。このため、出力データ４０Ｄの色域は、印刷画像の印刷色域４０Ｅを示すものとなる。
【００３５】
そして、更に、生成部１８Ｄは、印刷色域４０Ｅの出力データ４０Ｄを、共通色空間に変換し、出力データ４０Ｆを生成する（図４（Ｄ）参照）。出力データ４０Ｆは、印刷画像の印刷色域４０Ｅを示す、共通色空間のデータである。
【００３６】
そして、生成部１８Ｄは、原稿データ４０Ａの、画像形成装置１４に依存する色空間の色域４０Ｂ（図４（Ａ）参照）と、生成した出力データ４０Ｆの共通色空間の印刷色域４０Ｅ（図４（Ｄ）参照）と、の対応関係を示す第１変換テーブル２４Ｃを生成する。
【００３７】
ここで、上述したように、生成部１８Ｄが生成した、調整後の出力プロファイルの数は、画像形成装置１４で対応可能な記録媒体の媒体種の数と、色空間変換方法（レンダリングインテント）の数（４種類）と、の乗算値に一致する。
【００３８】
このため、生成部１８Ｄは、上記乗算値に応じた数の、第１変換テーブル２４Ｃを生成することとなる。そして、生成部１８Ｄは、生成した第１変換テーブル２４Ｃを含む、基準プロファイル２４を生成する。なお、各基準プロファイル２４は、各々、１つの第１変換テーブル２４Ｃを含む。すなわち、生成部１８Ｄは、画像形成装置１４で対応可能な記録媒体の媒体種の数と、色空間変換方法（レンダリングインテント）の数（４種類）と、の乗算値に一致する数の、基準プロファイル２４を生成することとなる。
【００３９】
図３に戻り、基準プロファイル２４に含まれる第１情報２４Ｂは、該第１情報２４Ｂを含む基準プロファイル２４に含まれる、第１変換テーブル２４Ｃを示す情報である。生成部１８Ｄは、第１変換テーブル２４Ｃごとに、第１情報２４Ｂを生成する。そして、第１変換テーブル２４Ｃと、対応する第１情報２４Ｂと、ヘッダー２４Ａと、を含む基準プロファイル２４を生成する。
【００４０】
第１情報２４Ｂは、第２識別情報と、第３識別情報と、第４識別情報と、色空間変換方法と、媒体種と、を含む。第１情報２４Ｂは、更に、画像形成装置１４の設置位置を示す設置位置情報を含んでいてもよい。本実施の形態では、一例として、第１情報２４Ｂが、第２識別情報と、第３識別情報と、第４識別情報と、第５識別情報と、媒体種情報と、設置位置情報と、を含む場合を説明する。
【００４１】
第２識別情報は、基準プロファイル２４に含まれる第１変換テーブル２４Ｃの作成に用いた原稿データ４０Ａの入力プロファイルを識別する識別情報である。第２識別情報は、例えば、入力プロファイルの名称である。
【００４２】
第３識別情報は、基準プロファイル２４に含まれる第１変換テーブル２４Ｃの作成に用いた出力プロファイルを識別する識別情報である。第３識別情報は、例えば、出力プロファイルの名称である。
【００４３】
第４識別情報は、当該画像形成装置１４の識別情報である。
【００４４】
第１情報２４Ｂに含まれる第５識別情報は、基準プロファイル２４に含まれる第１変換テーブル２４Ｃの作成に用いた原稿データ４０Ａの色域４０Ｂを、該第１変換テーブル２４Ｃの作成に用いた印刷色域４０Ｅに変換するときに用いた色空間変換方法（レンダリングインテント）の識別情報である。すなわち、第５識別情報は、Ｐｅｒｃｅｐｔｕａｌ（知覚）、Ｓａｔｕｒａｔｉｏｎ（彩度）、Ｒｅｌａｔｉｖｅ  Ｃｏｌｏｒｉｍｅｔｒｉｃ（相対的な色域を維持）、Ａｂｓｏｌｕｔｅ  Ｃｏｌｏｒｉｍｅｔｒｉｃ（絶対的な色域を維持）、の各々の識別情報である。
【００４５】
第１情報２４Ｂに含まれる媒体種情報は、基準プロファイル２４に含まれる第１変換テーブル２４Ｃの作成に用いた出力プロファイルに対応する媒体種を示す情報である。
【００４６】
設置位置情報は、基準プロファイル２４を生成した画像形成装置１４の設置位置を示す情報である。
【００４７】
上記のようにして、生成部１８Ｄは、画像形成装置１４で画像形成する記録媒体の媒体種の数と、画像形成装置１４で用いる色空間変換方法の数（４種類）と、の乗算値に一致する数の、基準プロファイル２４を生成する。
【００４８】
このとき、生成部１８Ｄは、各基準プロファイル２４のヘッダー２４Ａに、各基準プロファイル２４を識別する第１識別情報を含めて、基準プロファイル２４を生成する。
【００４９】
なお、生成部１８Ｄは、基準プロファイル２４を構成するタグの内、不使用のタグやユーザが自由に設定可能なタグに、第１情報２４Ｂを記述してもよい。
【００５０】
図２に戻り、生成部１８Ｄは、生成した基準プロファイル２４を、記憶部２０へ記憶する。
【００５１】
送信部１８Ｂは、生成部１８Ｄが生成した基準プロファイル２４を、ネットワーク１６を介して情報処理装置１２へ送信する。
【００５２】
なお、ユーザによるＵＩ部２１の操作によって、新たな入力プロファイルや、新たな媒体種に対応する基準プロファイルの生成が指示されたとする。この場合、生成部１８Ｄは、指示された入力プロファイルや指示された媒体種に応じて、新たに基準プロファイルを生成し、記憶部２０へ記憶すればよい。また、生成部１８Ｄは、送信部１８Ｂを介して、新たに生成した基準プロファイルを情報処理装置１２へ送信すればよい。
【００５３】
また、ユーザによるＵＩ部２１の操作により、記憶部２０に記憶した基準プロファイルの記述内容の一部を変更する変更指示がなされたとする。この場合、生成部１８Ｄは、変更指示された内容に応じて、記憶部２０に記憶した各基準プロファイルの記述内容を変更することで、各基準プロファイルを更新すればよい。
【００５４】
そして、生成部１８Ｄは、新たな基準プロファイルの生成や、基準プロファイルの更新を行うごとに、新たに生成した基準プロファイルや、更新した基準プロファイルを、送信部１８Ｂを介して画像形成装置１４へ送信すればよい。
【００５５】
画像処理部１８Ｅは、情報処理装置１２から受信部１８Ｃを介して印刷データを受信する。印刷データは、例えば、印刷対象の原稿データ４０Ａと、印刷対象の媒体種情報と、色空間変換方法を識別する第５識別情報と、を含む。
【００５６】
画像処理部１８Ｅは、印刷データに含まれる原稿データ４０Ａを、原稿データ４０Ａに埋め込まれている入力プロファイルを用いて共通色空間の原稿データ４０Ｃに変換する（図４（Ｂ）参照）。
【００５７】
次に、画像処理部１８Ｅは、記憶部２０に記憶されている複数の基準プロファイル２４から、印刷データに含まれる媒体種情報の媒体種と、印刷データに含まれる第５識別情報によって識別される色変換方法と、に対応する基準プロファイル２４を特定する。そして、画像処理部１８Ｅは、特定した基準プロファイル２４に含まれる第１変換テーブル２４Ｃの生成時に用いた出力プロファイルを用いて、共通色空間の原稿データ４０Ｃを画像形成装置１４に依存する色空間の出力データ４０Ｄに変換する（図４（Ｃ）参照）。またこのとき、画像処理部１８Ｅは、印刷データに含まれる、第５識別情報によって識別される色空間変換方法（レンダリングインテント）を用いて変換を行う。
【００５８】
そして、画像処理部１８Ｅは、出力データ４０Ｄを印刷制御部１８Ｆへ出力する。印刷制御部１８Ｆは、出力データ４０Ｄによって表される印刷画像を、印刷データに含まれる媒体種情報によって識別される媒体種の記録媒体に印刷するように、画像形成部２２を制御する。
【００５９】
このため、画像形成部２２は、出力データ４０Ｄによって表される印刷画像を、印刷データに含まれる媒体種情報の記録媒体に印刷する。これによって、印刷画像の印刷された記録媒体が得られる。
【００６０】
図５は、情報処理装置１２の機能ブロック図である。
【００６１】
情報処理装置１２は、制御部３０と、記憶部３４と、ＵＩ部３２と、を備える。記憶部３４およびＵＩ部３２は、制御部３０に信号授受可能に接続されている。
【００６２】
ＵＩ部３２は、各種画像を表示すると共に、ユーザからの各種指示を受付ける。ＵＩ部３２は、例えば、タッチパネルである。なお、ＵＩ部３２は、各種画像を表示する表示部と、ユーザからの各種指示を受付ける入力部と、を別体とした構成であってもよい。
【００６３】
すなわち、ＵＩ部３２は、表示部３２Ａと、入力部３２Ｂと、を含む構成であってもよい。表示部３２Ａは、各種画像を表示する。表示部３２Ａは、例えば、液晶ディスプレイなどの公知の表示装置である。入力部３２Ｂは、ユーザから各種操作指示を受付ける。入力部３２Ｂは、例えば、キーボードなどである。
【００６４】
記憶部３４は、各種データや、画像形成装置１４から受信した複数の基準プロファイルなどを記憶する。記憶部２０は、例えばＨＤＤ（ハードディスクドライブ）である。本実施の形態では、記憶部３４は、管理情報と、履歴情報と、を記憶する。
【００６５】
図６は、管理情報および履歴情報の各々の、データ構成の一例を示す図である。図６（Ａ）は、管理情報のデータ構成の一例を示す図である。管理情報は、ネットワーク１６に接続された各情報処理装置１２から受信した基準プロファイル２４と、基準プロファイル２４に含まれる第１情報２４Ｂと、を対応づけた情報である。すなわち、管理情報には、複数の基準プロファイル２４が含まれる。管理情報のデータ形式は、テーブルであってもよいし、ＤＢ（データベース）であってもよく、限定されない。
【００６６】
図６（Ｂ）は、履歴情報のデータ構成の一例を示す図である。履歴情報は、情報処理装置１２を操作するユーザが、基準プロファイル２４の第１識別情報を選択した選択履歴を示す情報である。履歴情報は、例えば、ユーザ識別情報と、ユーザ識別情報によって識別されるユーザによって選択された第１識別情報（基準プロファイル２４の識別情報）と、第１識別情報の選択回数と、第１識別情報の選択時期と、を対応づけた情報である。履歴情報のデータ形式は、テーブルであってもよいし、ＤＢであってもよく、限定されない。
【００６７】
第１識別情報の選択回数は、対応するユーザ識別情報によって識別されるユーザが、対応する第１識別情報によって識別される基準プロファイルを選択した回数を示す。
【００６８】
第１識別情報の選択時期は、対応するユーザ識別情報によって識別されるユーザが、対応する第１識別情報によって識別される基準プロファイルを選択した時期を示す。選択時期は、日時であってもよいし、月日であってもよい。図６（Ｂ）には、一例として、選択時期が、選択された月を示す場合を示した。
【００６９】
図５に戻り、制御部３０は、情報処理装置１２を制御する。情報処理装置１２は、通信部３０Ａと、取得部３０Ｂと、記憶制御部３０Ｃと、更新部３０Ｄと、第１表示制御部３０Ｅと、受付部３０Ｆと、第１変換部３０Ｇと、第３変換部３０Ｈと、第２表示制御部３０Ｉと、印刷データ生成部３０Ｊと、を含む。
【００７０】
通信部３０Ａ、取得部３０Ｂ、記憶制御部３０Ｃ、更新部３０Ｄ、第１表示制御部３０Ｅ、受付部３０Ｆ、第１変換部３０Ｇ、第３変換部３０Ｈ、第２表示制御部３０Ｉ、および印刷データ生成部３０Ｊの一部またはすべては、例えば、ＣＰＵなどの処理装置にプログラムを実行させること、すなわち、ソフトウェアにより実現してもよいし、ＩＣなどのハードウェアにより実現してもよいし、ソフトウェアおよびハードウェアを併用して実現してもよい。
【００７１】
通信部３０Ａは、ネットワーク１６を介して他の機器と通信を行う。本実施の形態では、通信部３０Ａは、ネットワーク１６を介して画像形成装置１４とデータ授受を行う。
【００７２】
取得部３０Ｂは、基準プロファイルを取得する。本実施の形態では、取得部３０Ｂは、１または複数の画像形成装置１４の各々から、ネットワーク１６を介して、複数の基準プロファイル２４を取得する。記憶制御部３０Ｃは、取得部３０Ｂで取得した基準プロファイル２４を、記憶部３４へ記憶する。
【００７３】
具体的には、記憶制御部３０Ｃは、取得部３０Ｂで取得した基準プロファイル２４から、第１情報２４Ｂを読取り、読取った第１情報２４Ｂと基準プロファイル２４とを対応づけて、管理情報に登録する。これにより、記憶制御部３０Ｃは、基準プロファイル２４を記憶部３４へ記憶する。
【００７４】
また、記憶制御部３０Ｃは、取得部３０Ｂで取得した基準プロファイル２４を、記憶部３４の予め定めた領域（フォルダ）に記憶する。このフォルダは、例えば、制御部３０に予めインストールされている、原稿データ編集用のアプリケーションがプロファイルの選択画面の表示時に参照するフォルダである。
【００７５】
更新部３０Ｄは、記憶部３４に記憶された管理情報を更新する。取得部３０Ｂは、ネットワーク１６を介して、ネットワーク１６に接続された１または複数の画像形成装置１４の各々から、最新の基準プロファイル２４を取得する。
【００７６】
更新部３０Ｄは、取得部３０Ｂが取得した最新の基準プロファイル２４と、該基準プロファイル２４に含まれる第１情報２４Ｂと、を対応づけて管理情報に登録する。この登録処理によって、更新部３０Ｄは、管理情報を更新する。
【００７７】
受付部３０Ｆは、ユーザ識別情報の入力を入力部３２Ｂから受け付ける。受付部３０Ｆが受け付けるユーザ識別情報は、情報処理装置１２を用いて原稿データの作成や編集を行うユーザのユーザ識別情報である。
【００７８】
第１表示制御部３０Ｅは、記憶部３４に記憶されている複数の基準プロファイル２４の第１識別情報の一覧を、表示部３２Ａに表示する。
【００７９】
図７は、表示画面の一例の説明図である。
【００８０】
例えば、制御部３０に予めインストールされている、原稿データ編集用のアプリケーションが起動されると、第１表示制御部３０Ｅは、表示部３２Ａに表示画面６０を表示する（図７（Ａ）参照）。
【００８１】
表示画面６０は、表示領域６０Ａと、表示領域６０Ｃと、を少なくとも含む。表示領域６０Ａは、ユーザによる編集対象の原稿データ４０Ａの、原稿画像の表示領域である。ユーザによる編集対象の原稿データ４０Ａは、例えば、ユーザによる入力部３２Ｂの操作指示によって選択された原稿データ４０Ａである。例えば、ユーザは、入力部３２Ｂを操作することで、記憶部３４に記憶されている複数の原稿データ４０Ａから、編集対象の原稿データ４０Ａを選択する。
【００８２】
すると、第１表示制御部３０Ｅは、表示領域６０Ａに、選択された原稿データ４０Ａの原稿画像を表示する。
【００８３】
例えば、ユーザによる入力部３２Ｂの操作指示によって、詳細設定の実行を指示するための選択画面６０Ｅを介して、印刷色シミュレーションの選択欄６０Ｆが選択されたとする。
【００８４】
すると、第１表示制御部３０Ｅは、表示領域６０Ｃ上に、プロファイル選択画面６０Ｇを表示する。プロファイル選択画面６０Ｇは、記憶部３４に記憶されている複数の基準プロファイル２４の第１識別情報の一覧を少なくとも含む。
【００８５】
図７（Ｂ）に示す例では、プロファイル選択画面６０Ｇには、基準プロファイル２４の第１識別情報として、「ＡＡＡ」、「ＢＢＢ」、「ＣＣＣ」、「ＤＤＤ」が一覧表示されている。
【００８６】
なお、ユーザによる入力部３２Ｂの操作指示によって、全てのプロファイルの表示指示がなされると、第１表示制御部３０Ｅは、基準プロファイル２４の第１識別情報と、基準プロファイル２４以外のプロファイル（例えば、情報処理装置１２に予め登録されている出力プロファイルや入力プロファイル）の識別情報と、の全てをプロファイル選択画面６０Ｇに表示すればよい。
【００８７】
さらに、ユーザによる入力部３２Ｂの操作指示によって、基準プロファイル２４のみの表示指示がなされると、第１表示制御部３０Ｅは、記憶部３４に記憶されている基準プロファイル２４の第１識別情報の一覧のみを、プロファイル選択画面６０Ｇに表示する。
【００８８】
このため情報処理装置１２は、基準プロファイル２４であるか、基準プロファイル２４以外のプロファイルであるか、をユーザに対して容易に確認可能に提供することができる。
【００８９】
なお、第１表示制御部３０Ｅは、基準プロファイルの第１識別情報と、基準プロファイルの第１情報に含まれる、第２識別情報、第３識別情報、第４識別情報、媒体種情報、および第５識別情報の少なくとも１つと、を対応づけて表示部３２Ａに表示してもよい。また、第１表示制御部３０Ｅは、更に、設置位置情報を、第１識別情報に対応づけて表示部３２Ａに表示してもよい。
【００９０】
図７（Ｃ）は、基準プロファイルの第１識別情報と、基準プロファイルの第１情報に含まれる、第２識別情報、第３識別情報、第４識別情報、媒体種情報、第５識別情報、および設置位置情報と、を対応づけて表示部３２Ａのプロファイル選択画面６０Ｇに表示した一例を示す図である。
【００９１】
図７（Ｃ）に示すように、第１識別情報（基準プロファイルの識別情報）と、第２識別情報（入力プロファイルの識別情報）と、第３識別情報（出力プロファイルの識別情報）と、媒体種情報と、第４識別情報（画像形成装置１４の識別情報、例えば画像形成装置名）と、第５識別情報（色空間変換方法（レンダリングインテント）の識別情報）と、設置位置情報と、を対応づけて、プロファイル選択画面６０Ｇに表示してもよい。
【００９２】
このため、情報処理装置１２は、基準プロファイル２４が、どのようなプロファイルであるかを容易に認識可能な情報を提供することができる。すなわち、情報処理装置１２は、各基準プロファイル２４が、どのような入力プロファイルや、どのような出力プロファイルや、どのような色空間変換方法や、どのような媒体種の記録媒体に適用させるための情報であるのかを、容易に確認可能に提供することができる。また、情報処理装置１２は、各基準プロファイル２４の提供元である画像形成装置１４の設置位置を、容易に確認可能に提供することもできる。
【００９３】
なお、プロファイル選択画面６０Ｇに表示する基準プロファイル２４の第１識別情報の表示順は、限定されない。しかし、第１表示制御部３０Ｅは、履歴情報に応じて、基準プロファイル２４の第１識別情報を並べ替えて表示部３２Ａに表示することが好ましい。
【００９４】
例えば、第１表示制御部３０Ｅは、記憶部３４に記憶されている履歴情報における、受付部３０Ｆで受け付けたユーザ識別情報に対応する、第１識別情報の一覧を特定する。これによって、第１表示制御部３０Ｅは、該ユーザ識別情報によって識別されるユーザが、過去に選択した基準プロファイル２４の第１識別情報を特定する。そして、第１表示制御部３０Ｅは、特定した第１識別情報を、対応する選択回数の多い順に昇順または降順に並び替えてプロファイル選択画面６０Ｇに表示する。
【００９５】
なお、第１表示制御部３０Ｅは、管理情報に登録されている基準プロファイル２４の第１識別情報の内、受付部３０Ｆで受け付けたユーザ識別情報に対応する選択回数の登録されていない第１識別情報については、選択回数は「０」であるものとして並べ替えを行い、プロファイル選択画面６０Ｇに含めて表示すればよい。
【００９６】
また、例えば、第１表示制御部３０Ｅは、記憶部３４に記憶されている履歴情報における、受付部３０Ｆで受け付けたユーザ識別情報に対応する、選択された第１識別情報の一覧を特定する。これによって、第１表示制御部３０Ｅは、該ユーザ識別情報によって識別されるユーザが、過去に選択した基準プロファイル２４の第１識別情報を特定する。そして、第１表示制御部３０Ｅは、特定した第１識別情報を、該ユーザ識別情報の入力を受け付けた時期に対応する選択時期に応じて並べ替えた一覧を、表示部３２Ａへ表示してもよい。
【００９７】
例えば、第１表示制御部３０Ｅは、ユーザ識別情報の入力を受け付けた時期と、履歴情報に格納されている選択時期との一致度合が高い第１識別情報を、昇順または降順に並べてプロファイル選択画面６０Ｇに表示すればよい。
【００９８】
なお、第１表示制御部３０Ｅは、管理情報に登録されている基準プロファイルの第１識別情報の内、受付部３０Ｆで受け付けたユーザ識別情報に対応する選択時期の登録されていない第１識別情報については、選択時期が、受付部３０Ｆがユーザ識別情報を受け付けた時期から最も遠い時期であるものとして並べ替えを行い、プロファイル選択画面６０Ｇに含めて表示すればよい。
【００９９】
図５に戻り、受付部３０Ｆは、更に、表示された第１識別情報の一覧から、１の第１識別情報の選択を受け付ける。
【０１００】
例えば、図７（Ｂ）または図７（Ｃ）に示すプロファイル選択画面６０Ｇが表示部３２Ａに表示されたとする。ユーザは、入力部３２Ｂを操作することで、プロファイル選択画面６０Ｇに表示された第１識別情報の一覧の中から、印刷画像の確認を行うことを所望する基準プロファイルの第１識別情報を選択する。すると、受付部３０Ｆは、ユーザによる入力部３２Ｂの指示によって選択された１つの第１識別情報を受け付ける。
【０１０１】
図５に戻り、第１変換部３０Ｇは、印刷対象の原稿データ４０Ａを、選択を受け付けた第１識別情報によって識別される基準プロファイル２４に示される、印刷色域４０Ｅの共通色空間に変換する。
【０１０２】
第２変換部３０Ｈは、第１変換部３０Ｇによって変換された、印刷色域４０Ｅの共通色空間の原稿データ４０Ｃを、表示部３２Ａの色空間を示すディスプレイプロファイルを用いて色変換し、表示画像データを生成する。このため、表示画像データの色域は、ユーザによって選択された４２の印刷色域４０Ｅを示すものとなる。なお、ディスプレイプロファイルは、表示部３２Ａで表示する表示画像の色空間と共通色空間との対応関係を示す変換テーブルを含む。
【０１０３】
ここで、原稿データ４０Ａに施す画像処理を、更に詳細に説明する。図８〜図１０は、原稿データ４０Ａに施す画像処理の説明図である。
【０１０４】
図８は、印刷を行うときに、原稿データ４０Ａに施す画像処理の説明図である。
【０１０５】
例えば、図８（Ａ）に示すように、印刷対象の原稿データ４０Ａの色空間がＲＧＢであったとする。そして、この原稿データ４０Ａの色空間の色域（ガマット）が、色域４０Ｂに示す色域であったとする。
【０１０６】
画像形成装置１４で画像を印刷するときには、このＲＧＢの色空間の原稿データ４０Ａを、原稿データ４０Ａに埋め込まれている入力プロファイルを用いて、共通色空間に変換し、共通色空間の色域４０Ｂの原稿データ４０Ｃとする（図８（Ｂ）参照）。
【０１０７】
そして、この共通色空間の色域４０Ｂの原稿データ４０Ｃを、さらに、画像形成装置１４に格納されている出力プロファイルを用い、指定された色空間変換方法（レンダリングインテント）により、画像形成装置１４に依存する色空間の印刷色域４０Ｅの、出力データ４０Ｄに変換する（図８（Ｃ）参照）。画像形成装置１４に依存する色空間は、例えば、ＣＭＹＫの色空間である。
【０１０８】
このため、画像形成装置１４が印刷する印刷画像の色空間および印刷色域は、例えば、図８（Ｃ）に示すＣＭＹＫの色空間、および印刷色域４０Ｅとなる。
【０１０９】
図９は、従来の、プレビュー画像表示時の画像処理の説明図である。
【０１１０】
従来では、原稿データ４０Ａの印刷結果を推定したプレビュー画像を表示部３２Ａに表示する場合、原稿データ４０Ａを、原稿データ４０Ａに埋め込まれた入力プロファイルを用いて、共通色空間の色域４０Ｂの原稿データ４０Ｃに変換していた（図９（Ａ）、図９（Ｂ）参照）。そして、さらに、この色域４０Ｂの共通色空間の原稿データ４０Ｃを、表示部３２Ａのディスプレイプロファイルを用いて、表示部３２Ａに依存する色空間（例えば、ＲＧＢ）に変換し、表示画像データ４２０Ｆとしていた（図９（Ｂ）、図９（Ｃ）参照）。そして、この表示画像データ４２０Ｆを、プレビュー画像として表示部３２Ａに表示していた。
【０１１１】
このように、従来では、原稿データ４０Ａの色域４０Ｂを維持したままで、色空間のみを変換された共通色空間の原稿データ４０Ｃを用いて、プレビュー画像を生成していた。このため、従来では、プレビュー画像に用いる表示画像データ４２０Ｆの色域４０Ｂは、原稿データ４０Ａの色域４０Ｂであり、画像形成装置１４で印刷した印刷画像の印刷色域４０Ｅとは異なる色域であった。
【０１１２】
このため、従来では、実際の印刷画像とは異なる色味のプレビュー画像が表示部３２Ａに表示されており、色再現性が劣る場合があった。
【０１１３】
一方、本実施の形態の情報処理装置１２では、第１変換部３０Ｇが、印刷対象の原稿データ４０Ａを、選択を受け付けた第１識別情報によって識別される基準プロファイル２４に示される印刷色域４０Ｅの共通色空間に変換する。
【０１１４】
図１０は、本実施の形態における、プレビュー画像表示時の画像処理の説明図である。
【０１１５】
第１変換部３０Ｇは、原稿データ４０Ａに埋め込まれた入力プロファイルに代えて、選択を受け付けた第１識別情報によって識別される基準プロファイル２４を用いて、色域４０Ｂの原稿データ４０Ａを、該基準プロファイル２４に示される印刷色域４０Ｅの共通色空間に変換し、印刷色域４０Ｅの共通色空間の原稿データ５０Ｃを生成する（図１０（Ａ）、図１０（Ｂ）参照）。
【０１１６】
このため、共通色空間の原稿データ５０Ｃは、原稿データ４０Ａの色域４０Ｂではなく、原稿データ４０Ａを画像形成装置１４で印刷した印刷画像の印刷色域４０Ｅで表されたものとなる（図１０（Ｂ）参照）。
【０１１７】
そして、第２変換部３０Ｈは、この印刷色域４０Ｅの共通色空間の原稿データ５０Ｃを、表示部３２Ａのディスプレイプロファイルを用いて、表示部３２Ａに依存する色空間（例えば、ＲＧＢ）に変換し、表示画像データ５０Ｆを生成する。
【０１１８】
このため、第２変換部３０Ｈが生成した、表示部３２Ａに依存する色空間の表示画像データ５０Ｆは、原稿データ４０Ａの色域４０Ｂではなく、印刷画像の印刷色域４０Ｅで表された画像データとなる。
【０１１９】
図５に戻り、そして、第２表示制御部３０Ｉは、第２変換部３０Ｈで生成された表示画像データ５０Ｆの画像を、印刷結果を推定したプレビュー画像として、表示部３２Ａに表示する。
【０１２０】
具体的には、図７（Ａ）に示すように、第２表示制御部３０Ｉは、表示画面６０の表示領域６０Ｃに、表示画像データ５０Ｆを表示する。このため、表示領域６０Ｃには、選択された基準プロファイル２４に応じた、印刷結果の色再現性の高いプレビュー画像が表示される。
【０１２１】
印刷データ生成部３０Ｊは、印刷データを生成する。印刷データ生成部３０Ｊは、印刷対象として選択された原稿データ４０Ａと、印刷対象の媒体種情報と、色空間変換方法を識別する第５識別情報と、を含む印刷データを生成する。印刷データ生成部３０Ｊは、印刷実行指示の直前に受付部３０Ｆが選択を受け付けた第１識別情報によって識別される基準プロファイル２４の第１情報２４Ｂを読取る。そして、読取った第１情報２４Ｂに含まれる媒体種情報と、色空間変換方法を識別する第５識別情報と、を読取り、これらを含む印刷データを生成すればよい。
【０１２２】
なお、ユーザによる基準プロファイルの第１識別情報の選択を受け付けなかった場合には、印刷データ生成部３０Ｊは、原稿データ４０Ａと、標準の設定として予め定めた媒体種情報および色空間変換方法を識別する第５識別情報と、を含む印刷データを生成すればよい。
【０１２３】
そして、印刷データ生成部３０Ｊは、生成した印刷データを、画像形成装置１４へ送信する。
【０１２４】
次に、情報処理システム１０で実行する情報処理手順を説明する。
【０１２５】
図１１は、画像形成装置１４で実行する情報処理手順の一例を示すフローチャートである。
【０１２６】
まず、制御部１８は、基準プロファイル２４の作成指示がなされたか否かを判断する（ステップＳ１００）。制御部１８は、ユーザによるＵＩ部２１の操作により、ＵＩ部２１から、基準プロファイル２４の作成指示を受付けたか否かを判別することで、ステップＳ１００の判断を行う。
【０１２７】
ステップＳ１００で肯定判断すると（ステップＳ１００：Ｙｅｓ）、ステップＳ１０２へ進む。
【０１２８】
ステップＳ１０２では、生成部１８Ｄが出力プロファイルを作成する（ステップＳ１０２）。次に、生成部１８Ｄは、ステップＳ１０２で作成した出力プロファイルを、４種類の色空間変換方法（レンダリングインテント）の各々を用いて調整する（ステップＳ１０４）。
【０１２９】
次に、生成部１８Ｄは、基準プロファイル２４を作成する（ステップＳ１０６）。上述したように、生成部１８Ｄは、原稿データ４０Ａの、画像形成装置１４に依存する色空間の色域４０Ｂ（図４（Ａ）参照）と、ステップＳ１０４で調整した出力データ４０Ｆの共通色空間の印刷色域４０Ｅ（図４（Ｄ）参照）と、の各々の対応関係を示す第１変換テーブル２４Ｃを生成する。そして、生成した各第１変換テーブル２４Ｃを各々含む、基準プロファイル２４を作成する。そして、生成部１８Ｄは、生成した基準プロファイル２４を、記憶部２０へ記憶する。
【０１３０】
次に、生成部１８Ｄは、生成した基準プロファイル２４を、送信部１８Ｂを介して画像形成装置１４へ送信する（ステップＳ１０８）。そして、本ルーチンを終了する。
【０１３１】
一方、ステップＳ１００で否定判断すると（ステップＳ１００：Ｎｏ）、ステップＳ１１０へ進む。
【０１３２】
ステップＳ１１０では、受信部１８Ｃが、情報処理装置１２から印刷データを受信したか否かを判断する（ステップＳ１１０）。ステップＳ１１０で否定判断すると（ステップＳ１１０：Ｎｏ）、本ルーチンを終了する。
【０１３３】
一方、ステップＳ１１０で肯定判断すると（ステップＳ１１０：Ｙｅｓ）、ステップＳ１１２へ進む。ステップＳ１１２では、画像処理部１８Ｅが、印刷データについて上述した画像処理を行い、出力データ４０Ｄを生成する（ステップＳ１１２）。次に、印刷制御部１８Ｆが、ステップＳ１１２で生成された出力データ４０Ｄを用いて、記録媒体に画像を印刷するように、画像形成部２２を制御する（ステップＳ１１４）。そして、本ルーチンを終了する。
【０１３４】
図１２は、情報処理装置１２が実行する情報処理手順の一例を示すフローチャートである。
【０１３５】
まず、情報処理装置１２の通信部３０Ａが、画像形成装置１４から基準プロファイル２４を受信したか否かを判断する（ステップＳ２００）。ステップＳ２００で肯定判断すると（ステップＳ２００：Ｙｅｓ）、ステップＳ２０２へ進む。
【０１３６】
ステップＳ２０２では、取得部３０Ｂが基準プロファイル２４を取得する（ステップＳ２０２）。
【０１３７】
次に、記憶制御部３０Ｃが、ステップＳ２０２で取得した基準プロファイル２４を記憶部３４へ記憶する（ステップＳ２０４）。なお、ステップＳ２０４では、更新部３０Ｄが、ステップＳ２０２で取得した基準プロファイル２４を記憶部３４の管理情報へ登録する更新処理を実行してもよい。
【０１３８】
そして、本ルーチンを終了する。
【０１３９】
一方、上記ステップＳ２００で否定判断すると（ステップＳ２００：Ｎｏ）、ステップＳ２０６へ進む。
【０１４０】
ステップＳ２０６では、制御部３０は、ユーザによる入力部３２Ｂの操作指示によって原稿データ編集用のアプリケーションが起動され、印刷対象の原稿データ４０Ａが選択されたか否かを判断する（ステップＳ２０６）。ステップＳ２０６で否定判断すると（ステップＳ２０６：Ｎｏ）、本ルーチンを終了する。
【０１４１】
なお、ステップＳ２０６では、第１表示制御部３０Ｅは、原稿データ編集用のアプリケーションの起動前に、該アプリケーションを操作するユーザのユーザ識別情報入力画面を表示する。そして、ユーザによる入力部３２Ｂの操作指示によって、ユーザ識別情報が入力されると、受付部３０Ｆは、受付けたユーザ識別情報を、該アプリケーションを操作中のユーザのユーザ識別情報として、記憶部３４へ記憶する。なお、このユーザ識別情報は、該アプリケーションの終了時に、更新部３０Ｄが記憶部３４から削除すればよい。
【０１４２】
一方、ステップＳ２０６で肯定判断すると（ステップＳ２０６：Ｙｅｓ）、ステップＳ２０８へ進む。
【０１４３】
ステップＳ２０８では、第１表示制御部３０Ｅが、表示部３２Ａに表示画面６０を表示すると共に、表示領域６０ＡにステップＳ２０６で選択された原稿データ４０Ａの原稿画像を表示する（図７（Ａ）参照）。
【０１４４】
次に、ステップＳ２１０では、第１表示制御部３０Ｅは、印刷色シミュレーションの実行指示がなされたか否かを判断する（ステップＳ２１０）。ステップＳ２１０で否定判断すると（ステップＳ２１０：Ｎｏ）、ステップＳ２２６へ進む。一方、ステップＳ２１０で肯定判断すると（ステップＳ２１０：Ｙｅｓ）、ステップＳ２１２へ進む。
【０１４５】
ステップＳ２１２では、第１表示制御部３０Ｅは、記憶部３４に記憶されている複数の基準プロファイル２４の各々の第１識別情報の一覧を表示部３２Ａに表示する（ステップＳ２１２）。例えば、第１表示制御部３０Ｅは、上述したように、表示領域６０Ｃ上に、プロファイル選択画面６０Ｇを表示する。プロファイル選択画面６０Ｇは、記憶部３４に記憶されている複数の基準プロファイル２４の第１識別情報の一覧を少なくとも含む。
【０１４６】
このとき、上述したように、第１表示制御部３０Ｅは、ステップＳ２０６で記憶部３４に記憶した、原稿データ編集用のアプリケーションを操作中のユーザのユーザ識別情報と、履歴情報と、に応じて並べ替えた第１識別情報の一覧を、表示部３２Ａに表示してもよい。
【０１４７】
次に、受付部３０Ｆが、ステップＳ２１２で表示した第１識別情報の一覧から、１の第１識別情報の選択を受け付けたと判断するまで否定判断を繰り返す（ステップＳ２１４：Ｎｏ）。そして、受付部３０Ｆは、１の第１識別情報の選択を受け付けたと判断すると（ステップＳ２１４：Ｙｅｓ）、ステップＳ２１６へ進む。
【０１４８】
ステップＳ２１６では、更新部３０Ｄが、ステップＳ２０６で記憶部３４に記憶したユー識別情報に対応づけて、ステップＳ２１４で選択された第１識別情報、および選択時期を履歴情報に記憶する。また、更新部３０Ｄは、ステップＳ２０６で記憶部３４に記憶したユーザ識別情報に対応づけて、ステップＳ２１４で選択された第１識別情報に対応する選択回数を「１」つカウントアップする。これにより、更新部３０Ｄは、履歴情報を更新する。
【０１４９】
次に、第１変換部３０Ｇが、ステップＳ２０６で選択された印刷対象の原稿データ４０Ａを、ステップＳ２１４で選択を受け付けた第１識別情報によって識別される基準プロファイル２４に示される、印刷色域４０Ｅの共通色空間に変換する（ステップＳ２１８）。
【０１５０】
次に、第２変換部３０Ｈが、ステップＳ２１８で第１変換部３０Ｇによって変換された、印刷色域４０Ｅの共通色空間の原稿データ４０Ｃを、表示部３２Ａの色空間を示すディスプレイプロファイルを用いて色変換し、表示画像データを生成する（ステップＳ２２０）。
【０１５１】
次に、第２表示制御部３０Ｉが、ステップＳ２２０の処理によって生成された表示画像データ５０Ｆの画像を、印刷結果を推定したプレビュー画像として、表示部３２Ａに表示する（ステップＳ２２２）。
【０１５２】
次に、制御部３０は、印刷色シミュレーションを終了するか否かを判断する（ステップＳ２２４）。制御部３０は、ユーザによる入力部３２Ｂの操作指示によって、該入力部３２Ｂから終了指示を受付けたか否かを判別することで、ステップＳ２２４の判断を行う。
【０１５３】
ステップＳ２２４で否定判断すると、（ステップＳ２２４：Ｎｏ）、ステップＳ２１２へ戻る。一方、ステップ２２４で肯定判断すると（ステップＳ２２４：Ｙｅｓ）、ステップＳ２２６へ進む。
【０１５４】
ステップＳ２２６では、受付部３０Ｆが印刷指示を受付けたか否かを判断する（ステップＳ２２６）。ステップＳ２２６の判断は、ユーザによる入力部３２Ｂの操作指示により、受付部３０Ｆが入力部３２Ｂから印刷指示を受付けたか否かを判別することで行う。
【０１５５】
ステップＳ２２６で否定判断すると（ステップＳ２２６：Ｎｏ）、本ルーチンを終了する。一方、ステップＳ２２６で肯定判断すると（ステップＳ２２６：Ｙｅｓ）、ステップ
Ｓ２２８へ進む。
【０１５６】
ステップＳ２２８では、印刷データ生成部３０Ｊが印刷データを生成する（ステップＳＳ２２８）。そして、印刷データ生成部３０Ｊは、生成した印刷データを、画像形成装置１４へ送信し（ステップＳ２３０）、本ルーチンを終了する。
【０１５７】
以上説明したように、本実施の形態の情報処理装置１２は、取得部３０Ｂと、記憶制御部３０Ｃと、を備える。取得部３０Ｂは、画像形成装置１４で印刷する印刷画像の色空間および印刷色域４０Ｅをデバイス非依存の共通色空間の該印刷色域４０Ｅに変換した、該共通色空間の該印刷色域４０Ｅと、原稿データ４０Ａの色空間の色域４０Ｂと、の対応関係を示す第１変換テーブルを含む基準プロファイル２４を、画像形成装置１４から取得する。記憶制御部３０Ｃは、基準プロファイル２４を、記憶部３４に記憶する。
【０１５８】
このように、本実施の形態の情報処理装置１２によれば、基準プロファイル２４を記憶部３４へ記憶する。情報処理装置１２は、基準プロファイル２４を用いてプレビュー画像を生成することで、情報処理装置１２は、実際の印刷画像に対する色再現性の高いプレビュー画像を表示部３２Ａへ表示することができる。
【０１５９】
従って、本実施の形態の情報処理装置１２では、実際の印刷画像に対する色再現性の高いプレビュー画像を実現可能なデータを、提供することができる。
【０１６０】
また、基準プロファイル２４は、第２識別情報と、第３識別情報と、第４識別情報と、第５識別情報と、媒体種情報と、を含む第１情報２４Ｂを更に含むことが好ましい。
【０１６１】
第２識別情報は、原稿データ４０Ａの色空間と共通色空間との対応関係を示す第２変換テーブルを含む入力プロファイルの識別情報である。第３識別情報は、出力プロファイルの識別情報である。この出力プロファイルは、該基準プロファイル２４の取得元の画像形成装置１４で印刷する記録媒体の媒体種により定まる印刷画像の色空間と、共通色空間との対応関係を示す第３変換テーブルを含む。第４識別情報は、この画像形成装置１４の識別情報である。第５識別情報は、この原稿データ４０Ａの色域を印刷色域４０Ｅに変換するときに用いた色空間変換方法の識別情報である。媒体種情報は、記録媒体の媒体種を示す。
【０１６２】
このため、情報処理装置１２は、第１情報２４Ｂを用いることで、原稿データ４０Ａの印刷前に、様々な出力プロファイルを用いて印刷した印刷結果の印刷画像を確認するためのデータを、容易に提供することができる。
【０１６３】
記憶制御部３０Ｃは、基準プロファイル２４と、第１情報２４Ｂと、を対応づけた管理情報を記憶部３４に記憶することが好ましい。
【０１６４】
また、情報処理装置１２は、更新部３０Ｄを備える。更新部３０Ｄは、管理情報を更新する。具体的には、取得部３０Ｂが、ネットワーク１６を介して接続された画像形成装置１４から、最新の基準プロファイル２４を取得する。すると、更新部３０Ｄは、取得した最新の基準プロファイル２４と、該基準プロファイル２４に含まれる第１情報２４Ｂと、を対応づけて管理情報に登録することによって、管理情報を更新する。
【０１６５】
本実施の形態の情報処理システム１０は、画像形成装置１４と、画像形成装置１４にネットワーク１６を介して接続された情報処理装置１２と、を含む。
【０１６６】
画像形成装置１４は、生成部１８Ｄと、送信部１８Ｂと、を備える。生成部１８Ｄは、画像形成装置１４で印刷する印刷画像の色空間および印刷色域４０Ｅをデバイス非依存の共通色空間の該印刷色域４０Ｅに変換した、該共通色空間の該印刷色域４０Ｅと、原稿データ４０Ａの色空間の色域４０Ｂと、の対応関係を示す第１変換テーブルを含む、基準プロファイル２４を生成する。送信部１８Ｂは、基準プロファイル２４を情報処理装置１２へ送信する。情報処理装置１２は、取得部３０Ｂと、記憶制御部３０Ｃと、を備える。取得部３０Ｂは、基準プロファイル２４を画像形成装置１４から取得する。記憶制御部３０Ｃは、基準プロファイル２４を記憶部３４に記憶する。
【０１６７】
図１３は、情報処理装置１２および画像形成装置１４のハードウェア構成図である。情報処理装置１２および画像形成装置１４は、ハードウェア構成として、装置全体を制御するＣＰＵ２９０１と、各種データや各種プログラムを記憶するＲＯＭ２９０２と、各種データや各種プログラムを記憶するＲＡＭ２９０３と、表示装置２９０４と、ＵＩ部２１などのインターフェース（Ｉ／Ｆ）部２９０５と、外部装置と通信を行うＩ／Ｆ部２９０６と、を主に備えており、通常のコンピュータを利用したハードウェア構成となっている。
【０１６８】
上記実施の形態の情報処理装置１２および画像形成装置１４で実行される情報処理プログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０１６９】
また、上記実施の形態の情報処理装置１２および画像形成装置１４で実行される情報処理プログラムを、インターネット等のネットワークに接続されたコンピュータ上に格納し、ネットワーク経由でダウンロードさせることにより提供するように構成してもよい。また、上記実施の形態の情報処理装置１２および画像形成装置１４で実行される情報処理プログラムをインターネット等のネットワーク経由で提供または配布するように構成してもよい。
【０１７０】
また、上記実施の形態の情報処理装置１２および画像形成装置１４で実行される情報処理プログラムを、ＲＯＭ等に予め組み込んで提供するように構成してもよい。
【０１７１】
上記実施の形態の情報処理装置１２および画像形成装置１４で実行される情報処理プログラムは、上述した各部を含むモジュール構成となっており、実際のハードウェアとしてはＣＰＵ（プロセッサ）が上記記録媒体からプログラムを読み出して実行することにより上記各部が主記憶装置上にロードされ、上記各部が主記憶装置上に生成されるようになっている。
【０１７２】
なお、本発明は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。また、種々の変形が可能である。
【符号の説明】
【０１７３】
１０  情報処理システム
１２  情報処理装置
１４  画像形成装置
１８Ｂ  送信部
１８Ｄ  生成部
３０Ｂ  取得部
３０Ｃ  記憶制御部
３０Ｄ  更新部
３４  記憶部
【先行技術文献】
【特許文献】
【０１７４】
【特許文献１】特開２０１４−２０７５２８号公報
【図１】
2016152603.tif 000003
【図２】
2016152603.tif 000004
【図３】
2016152603.tif 000005
【図５】
2016152603.tif 000006
【図６】
2016152603.tif 000007
【図１１】
2016152603.tif 000008
【図１２】
2016152603.tif 000009
【図１３】
2016152603.tif 000010
【図４】
2016152603.tif 000011
【図７】
2016152603.tif 000012
【図８】
2016152603.tif 000013
【図９】
2016152603.tif 000014
【図１０】
2016152603.tif 000015